(57)【要約】【課題】入力面に対する人体などの操作物体の動作を判定可能な検出信号を出力する検出手段（例えば、タッチパネル）を利用して、操作入力（前記操作物体の動作）に応じた処理を実行する処理装置（例えば、携帯電話機）において、視覚障害がある場合でも、処理を選択して実行させる操作を容易に可能とする。【解決手段】前記入力面における任意の位置での操作物体（例えば、指）の第１動作（例えば、長押し）があったことが前記検出信号に基づいて判定されると、選択できる処理を順次切り替えつつ音声案内し、前記第１動作の後に前記操作物体の第２動作（例えば、指を離した後にタップする動作）があったことが前記検出信号に基づいて判定されると、前記切り替えに対する前記第２動作があったタイミングに基づいて特定の処理（例えば、指を離す直前に選択可能であった処理）を選択し、選択した処理を実行する構成とする。【選択図】  図３
2012238267.tif 000002
【特許請求の範囲】
【請求項１】
入力面を有し、この入力面に対する人体などの操作物体の動作を判定可能な検出信号を出力する検出手段と、
前記入力面における任意の位置での前記操作物体の第１動作があったことが前記検出信号に基づいて判定されると、選択できる処理を順次切り替える処理切替手段と、
前記第１動作の後に前記操作物体の第２動作があったことが前記検出信号に基づいて判定されると、前記処理切替手段の切り替えに対する前記第２動作があったタイミングに基づいて処理を選択し、選択した処理を実行する処理実行手段と、
を備えることを特徴とする処理装置。
【請求項２】
前記処理切替手段が選択できる処理を順次切り替えているときに、選択できる処理を順次音声で報知する音声報知手段を、さらに備えることを特徴とする請求項１に記載の処理装置。
【請求項３】
前記第１動作は、前記操作物体が前記入力面における同じ位置に、規定時間以上接触又は接近し続ける動作であることを特徴とする請求項１または請求項２に記載の処理装置。
【請求項４】
前記第２動作は、前記操作物体が前記入力面に接触又は接近している状態から前記入力面に接触又は接近していない状態に離れ、その後再び前記入力面に接触又は接近する動作であることを特徴とする請求項１ないし請求項３のいずれかに記載の処理装置。
【請求項５】
前記処理実行手段は、前記第２動作において前記操作物体が前記入力面に接触又は接近していない状態に離れた時点の直前において、前記処理切替手段によって選択可能とされていた処理を選択し、前記第２動作において前記操作物体が再び前記入力面に接触又は接近する動作が判定されると、この選択した処理を実行することを特徴とする請求項４に記載の処理装置。
【請求項６】
入力面を有し、この入力面に対する人体などの操作物体の動作を判定可能な検出信号を出力する検出手段を使用して、前記操作物体の動作に応じた処理を実行する処理方法であって、
前記入力面における任意の位置での前記操作物体の第１動作があったことが前記検出信号に基づいて判定されると、選択できる処理を順次切り替え、
前記第１動作の後に前記操作物体の第２動作があったことが前記検出信号に基づいて判定されると、前記切り替えに対する前記第２動作があったタイミングに基づいて処理を選択し、選択した処理を実行することを特徴とする処理方法。
【請求項７】
入力面を有し、この入力面に対する人体などの操作物体の動作を判定可能な検出信号を出力する検出手段を備え、前記操作物体の動作に応じた処理を実行する処理装置のコンピュータを、
前記入力面における任意の位置での前記操作物体の第１動作があったことが前記検出信号に基づいて判定されると、選択できる処理を順次切り替える処理切替手段、及び、
前記第１動作の後に前記操作物体の第２動作があったことが前記検出信号に基づいて判定されると、前記処理切替手段の切り替えに対する前記第２動作があったタイミングに基づいて処理を選択し、選択した処理を実行する処理実行手段、
として機能させるためのプログラム。
【発明の詳細な説明】
【技術分野】
【０００１】
本発明は、視覚障害がある場合でも、処理を選択して実行させる操作を可能にする技術に関する。
【背景技術】
【０００２】
従来、例えばタッチパネルを使用した装置において、視覚障害がある場合でも操作を可能にする技術としては、特許文献１〜４に記載されたものがある。
特許文献１は、タッチパネルの所定領域にＷＥＢページとは別にリンク設定部分に対応するテキスト情報を表示し、このタッチパネルの所定領域に指が当てられたら、各リンク先の情報をスピーカから音声情報として順次出力していき、指が離されたときに出力した情報に対応するリンク先のＷＥＢページの情報を取得する公衆情報装置を開示している。
また特許文献２は、指先をタッチパネルの画面上の適当な位置に触れたまま移動させ、指先を移動させた後、一定の時間、指先の移動を停止させた状態にして、このとき出力される音声案内で指先が希望するボタン表示領域に触れているか否かを聴覚的に判断し、前記音声案内により希望するボタン表示領域に指先が触れていることを聴覚的に確認すると、そのタッチ位置で指先を画面上から離し、希望するボタン表示領域に対するボタン押下操作を行う入力装置を開示している。
【０００３】
また特許文献３は、タッチパネルに置かれるユーザの指の位置を検出し、検出された位置に、機能の選択などのために用いられるボタンを設けることにより、視覚障害を持つユーザがボタンの位置を憶えなくても操作ができるようにした機能制御装置を開示している。
また特許文献４は、タッチパネル上の一部に画面探索を行なう画面探索モードに切換えるための画面探索開始検知領域を設け、この領域が指で触れられると画面探索モードにし、この画面探索モード中は、タッチパネル上の接触された場所にある操作ボタンの意味を音声で読み上げて、スピーカから出力するタッチパネル式の情報入力装置を開示している。
【先行技術文献】
【特許文献】
【０００４】
【特許文献１】特開２００３−４４１９１号公報
【特許文献２】特開２００３−２３３４６５号公報
【特許文献３】特開２００４−６２８６７号公報
【特許文献４】特開平１１−１１０１０７号公報
【発明の概要】
【発明が解決しようとする課題】
【０００５】
しかしながら、特許文献１、特許文献２、及び特許文献４の技術は、タッチパネル上の所定領域や所定のボタン表示領域にユーザが指先を持ってゆく必要、或いはタッチパネル上で指先を移動させて所定のボタンを探し当てる必要があり、処理を選択して実行させる操作が容易であるとはいえない。また、特許文献３の技術は、ユーザの指の位置に対して適応的にボタンを設ける（すなわち、一つの指に対して一つのボタンを設ける）だけの構成である。このため、一つの指で複数の処理から所望の処理を選択して実行させる操作は不可能であり、特許文献３の実施例に示されるように複数の指をタッチパネルにタッチさせる必要があり、やはり、処理を選択して実行させる操作が容易であるとはいえない。
【０００６】
そこで本発明は、視覚障害がある場合でも、処理を選択して実行させる操作を容易に可能とすることを目的とする。
【課題を解決するための手段】
【０００７】
本発明の処理装置は、入力面を有し、この入力面に対する人体などの操作物体の動作を判定可能な検出信号を出力する検出手段と、
前記入力面における任意の位置での前記操作物体の第１動作があったことが前記検出信号に基づいて判定されると、選択できる処理を順次切り替える処理切替手段と、
前記第１動作の後に前記操作物体の第２動作があったことが前記検出信号に基づいて判定されると、前記処理切替手段の切り替えに対する前記第２動作があったタイミングに基づいて処理を選択し、選択した処理を実行する処理実行手段と、
を備えることを特徴とする処理装置である。
【０００８】
本発明の処理方法は、入力面を有し、この入力面に対する人体などの操作物体の動作を判定可能な検出信号を出力する検出手段を使用して、前記操作物体の動作に応じた処理を実行する処理方法であって、
前記入力面における任意の位置での前記操作物体の第１動作があったことが前記検出信号に基づいて判定されると、選択できる処理を順次切り替え、
前記第１動作の後に前記操作物体の第２動作があったことが前記検出信号に基づいて判定されると、前記切り替えに対する前記第２動作があったタイミングに基づいて処理を選択し、選択した処理を実行することを特徴とする処理方法である。
【０００９】
本発明のプログラムは、入力面を有し、この入力面に対する人体などの操作物体の動作を判定可能な検出信号を出力する検出手段を備え、前記操作物体の動作に応じた処理を実行する処理装置のコンピュータを、
前記入力面における任意の位置での前記操作物体の第１動作があったことが前記検出信号に基づいて判定されると、選択できる処理を順次切り替える処理切替手段、及び、
前記第１動作の後に前記操作物体の第２動作があったことが前記検出信号に基づいて判定されると、前記処理切替手段の切り替えに対する前記第２動作があったタイミングに基づいて処理を選択し、選択した処理を実行する処理実行手段、
として機能させるためのプログラムである。
【発明の効果】
【００１０】
本発明によれば、視覚障害がある場合でも、処理を選択して実行させる操作を容易に可能とすることができる。
【図面の簡単な説明】
【００１１】
【図１】実施形態である携帯電話機の外観斜視図である。
【図２】前記携帯電話機の概念的な内部ブロック図である。
【図３】視覚障害がある場合でもタッチパネルの操作に応じて処理を実行する制御プログラムのフローチャートを示す図である。
【図４】タッチパネルが設けられた表示部の表示例を示す図である。
【図５】タッチパネルが設けられた表示部の表示例を示す図である。
【図６】タッチパネルが設けられた表示部の表示例を示す図である。
【図７】タッチパネルが設けられた表示部の表示例を示す図である。
【図８】付記１の構成図である。
【発明を実施するための形態】
【００１２】
（第１実施形態）
以下、本発明の第１実施形態（本発明を携帯電話機に適用した例）を、図面を参照しながら説明する。
図１は、本実施形態に係る携帯電話機１（タッチパネル付き携帯電話機）の外観図である。この図において、携帯電話機１は、筐体２の主面（表面であって主たる操作対象となる面のこと）にタッチパネル３を設けるとともに、そのタッチパネル３の背面に液晶ディスプレイやＥＬパネルなどの表示デバイスからなる表示部４を設けている。また、タッチパネル３の上辺近くに受話器としてのスピーカ５やインカメラ７を設け、さらに、そのタッチパネル３の下辺近くにキー１２ａ，１２ｂ，１２ｃを設けている。
【００１３】
ここで、「近く」とは、少なくとも筐体２の主面の端からタッチパネル３の端までの間のいわゆる額縁内の任意の位置のことをいう。筐体２は、回路基板等の内蔵部品を収納して携帯電話機１の表面を構成するフレームであり、手持ちに適した形状、この場合、薄い直方体状の箱形となっている。キー１２ａ，１２ｂ，１２ｃは、利用者が押下する操作ボタンであり、それぞれ、例えばメニューを表示させるためのメニューキー、デスクトップ（初期画面）を表示させるホームキー、一つ前の画面に戻すための戻るキーである。また、図１における符号６は、筐体２の下端面に設けられた送話器としてのマイクを示す。
【００１４】
なお、筐体２の任意部分に、電源ボタンやバッテリ充電用端子などが設けられているが、図では省略している。また図示省略しているが、筐体２の任意部分に、着脱可能なカード型メモリを装着する装着部（スロット）が設けられていてもよい。また図示省略しているが、筐体２の例えば裏面（主面と反対側の面）などに、着信音やアラーム或いは楽音などを出力するためのスピーカが設けられていてもよい。
【００１５】
図２は、携帯電話機１の概念的な内部ブロック図である。この図において、携帯電話機１は、タッチパネル３、表示部４、インカメラ７、無線通信部８、音声入出力部９、中央制御部１０、電源部１１、操作部１２、アウトカメラ１３を備える。なお、携帯電話機１を構成する実際の回路や機器は、通常、主にベースバンドブロックと無線ブロックとに分けられる。このようにブロック分けされた場合、図２における無線通信部８が無線ブロックに属し、タッチパネル３、表示部４、インカメラ７、中央制御部１０、操作部１２、及びアウトカメラ１３等がベースバンドブロックに属する。
【００１６】
無線通信部８は、アンテナ８ａを介して最寄りの基地局（図示略）等との間で無線によるデジタルデータの送受信を行う。デジタルデータには、電話の着呼や発呼の情報および音声通話の情報が含まれる。この無線通信部８は、中央制御部１０からの制御に従って、上記のデジタルデータの送信や受信を行う。例えば、衆網基地局や家庭用親機からの無線信号は、無線通信部８によって復調され出力される。この無線通信部８からの出力信号は、音声信号又は制御信号としてベースバンドブロックの中央制御部１０に入力される。このうち、音声信号は、音声処理されてスピーカ５等から音声として出力される。制御信号は、ベースバンドブロック内の処理に用いられる。なお、アンテナ８ａは、公知のダイバーシティ（Diversity）やＭＩＭＯ（Multiple input output）などのマルチアンテナ技術に対応する場合には、複数設けられる。
【００１７】
音声入出力部９は、中央制御部１０からの制御により、マイク６で拾った音声信号をデジタルデータに変換して中央制御部１０に出力したり、中央制御部１０から出力されたデジタルの音声信号をアナログ信号に変換してスピーカ５から拡声したりする。マイク６やスピーカ５は電話の送受話用であるが、スピーカ５は、さらに電話の着信音等（或いはムービー再生等に伴う音声）の出力に用いられてもよい。なお、前述したように受話用のスピーカ５とは別に、筐体２の裏面等にスピーカを設け、音声入出力部９を介してこのスピーカから着信音等の出力を行ってもよい。なお、スピーカ５又は筐体２の裏面等に設けられたスピーカは、後述する図３で説明する動作において、選択できる処理を音声で報知する音声報知手段を構成する。
【００１８】
表示部４は、先にも説明したとおり、その前面に、人体の一部（例えば、手の指）の接触又は接近を検知できるタッチパネル３を併設している。タッチパネル３は、例えば、圧電方式のものであってもよいし、静電容量方式のものであってもよい。なお、タッチパネル３は、表面が入力面として機能し、この入力面に対する人体などの操作物体の動作を判定可能な検出信号を出力する公知の検出手段である。このタッチパネル３は、人体の一部を操作物体として操作する態様に限られず、例えばスタイラスなどと呼ばれるペンや、或いは一般のペンで圧力を加える等によって操作される態様でもよく、この場合には、これらのペンが操作物体となる。また、操作物体の動作としては、例えば、タッチパネル表面（入力面）をたたくタップと呼ばれる動作、同表面をはじくフリックと呼ばれる動作、同表面上を移動させるスクロールと呼ばれる動作、同表面に例えば２本の指を当てて開くようにするピンチアウトと呼ばれる動作、同表面に例えば２本の指を当てて閉じるようにするピンチインと呼ばれる動作、などがある。
【００１９】
電源部１１は、一次電池又は充電可能な二次電池からなるバッテリを含み、このバッテリの電力から携帯電話機１の動作に必要な各種電源電圧を発生して各部に供給する。操作部１２は、前述した電源ボタンやキー１２ａ，１２ｂ，１２ｃなどの操作の入力処理を行う。なお、タッチパネル３は、ダイヤル入力、文字入力、コマンド入力などを実行するもので、中央制御部１０は、操作部１２とこのタッチパネル３からの入力操作信号（検出信号）に応じた処理を実行する。
【００２０】
中央制御部１０は、マイクロコンピュータ（以下、ＣＰＵと表記する。）１０ａ、読み出し専用半導体メモリ（以下、ＲＯＭと表記する。）１０ｂ、高速半導体メモリ（以下、ＲＡＭと表記する。）１０ｃ、書き換え可能な不揮発性半導体メモリ（フラッシュメモリやＥＥＰＲＯＭなど。以下、ＥＰＲＯＭと表記する。）１０ｄ、ならびに不図示の周辺回路を含むプログラム制御方式の制御要素である。この中央制御部１０は、あらかじめＲＯＭ１０ｂやＥＰＲＯＭ１０ｄに格納されている制御プログラムをＲＡＭ１０ｃにロードしてＣＰＵ１０ａで実行することにより、各種の処理を逐次に実行して、この携帯電話機１の全体動作を統括制御する。
【００２１】
次に、インカメラ７は、図１に示すように、筐体２における表示部４と同じ面（すなわち主面）に設けられ、例えば携帯電話機１を持っている利用者自身の顔を含む静止画又は動画を撮像可能である。
【００２２】
次に、アウトカメラ１３（図１では見えない）は、筐体２の裏面（主面と反対側の面）に設けられ、他者や風景などの静止画又は動画を撮像するためのカメラである。利用者は、キー１２ａ，１２ｂ，１２ｃやタッチパネル３を操作することによって、インカメラ７やこのアウトカメラ１３による静止画や動画の撮影等のアプリケーションを作動させることが可能となっている。また図示省略しているが、筐体２における例えば右側の側面には、利用者が操作してこれらカメラによる撮影のシャッター操作等を容易に実行するためのシャッターボタンが設けられていてもよい。
【００２３】
そして、撮影された静止画や動画のデータ、及び動画等と同期して記録された音声データは、例えばＥＰＲＯＭ１０ｄ、或いは前述した装着部に装着されたカード型メモリに記録され、表示部４やスピーカ５等によって再生可能である。また、表示部４には、この携帯電話機１とは異なる他の機器で撮影された静止画や動画（例えば、ＥＰＲＯＭ１０ｄや前記カード型メモリに記録されたもの）も再生可能である。
【００２４】
また、携帯電話機１には、音声データを送受信して通話する音声通話機能のほか、ＴＶ（テレビ）電話機能が備えられていてもよい。更に、携帯電話機１には、電子メール機能、インターネット接続機能、ＴＶ放送表示機能、スケジュール管理機能、電卓機能、アラーム(目覚まし)機能、音楽データ再生機能、メモ帳機能などが備えられていてもよいことは、いうまでもない。
【００２５】
次に、本実施形態の動作例について、図３〜図７を参照しつつ説明する。
図３は、視覚障害がある場合でも、タッチパネル３の操作に応じた処理を実行する制御プログラムのフローチャートを示す図である。視覚障害がある場合とは、利用者（ユーザ）が視覚障害者である場合の他に、利用者が携帯電話機１を洋服のポケットや鞄などに入れた状態、夜間でのバックライト消灯時など、健常者でもタッチパネル３が設けられた表示部４の表示が見えない場合も含む。また、この制御プログラムは、中央制御部１０のＣＰＵ１０ａで定期的に実行される制御プログラムの一部である。
【００２６】
また図４〜図７は、タッチパネル３が設けられた表示部４の表示例（タッチパネル３の操作に応じて遷移してゆく画面表示の例）を示す図である。このうち図４（ａ）は、例えば前述のメニューキー（例えばキー１２ａ）が押されることによって表示されるメニュー画面の例である。このメニュー画面には、図に示すように、「電話帳」、「カメラ」、「メール」、「テレビ」、「カレンダー」、「電卓」、「メモ帳」、及び「設定」の各メニューボタンが表示される。このメニュー画面が表示された状態では、視覚障害が無ければ、利用者が所望のメニューボタンが表示されたタッチパネル３の表面（入力面）の領域を例えば指先で一時的に押下して離すという操作（タップ操作）を実行することによって、各メニューボタンに対応する処理が実行される。視覚障害があると、どの位置にどのメニューボタンがあるか見えないため、このような通常操作が不可能か困難になる。しかし本実施形態では、図３に示す制御による動作によって、視覚障害があっても上述した通常操作と同等な操作が容易に可能となる。以下、この動作を説明する。
【００２７】
中央制御部１０が図３のプログラムを開始すると、まず、タッチパネル３の表面（入力面）におけるいずれかの位置を操作物体（例えば、利用者の指）が押下したか否か（すなわち、接触又は接近したか否か）を判定する（ステップＳ１）。このステップＳ１の判定において、操作物体の押下があったと判断された場合は、さらに同じ位置で押下が５秒以上継続したか否か（すなわち、操作物体が前記入力面における同じ位置に、規定時間以上接触又は接近し続ける第１動作があったか否か）を判定する（ステップＳ２）。なお、この第１動作は、入力面（タッチパネル３の表面）における任意の位置での操作物体（例えば、利用者の指）の動作である。すなわち、第１動作は、入力面における操作物体の絶対的な位置がどこであっても、それが第１動作であると判定され得る動作である。したがって、上記ステップＳ１及びＳ２の判定では、操作物体による押下がタッチパネル３の表面におけるどの位置に対して行われたかという点については判定結果に影響を与えない。すなわち、本実施形態では、任意の位置で規定時間以上継続した押下操作（いわゆる長押し操作）が行われれば、第１動作があったと判定される。
【００２８】
また、ステップＳ２の判定結果が否定的であった場合には、前述したタップによる通常操作が行われた可能性があるので、後述するステップＳ８に進み、タップされた位置にいずれかのメニューボタンがあれば、そのメニューボタンに割り当てられた機能を実現するための処理を実行する。例えば、「メール」というメニューボタンがタップされた位置にあれば、例えば図６（ａ）に示す受信ボックス表示画面を表示し、メールに関する処理を選択・実行可能とする。
【００２９】
そして、ステップＳ２の判定結果が肯定的であった場合（すなわち、前記第１動作があったと判定された場合）には、視覚障害がある場合の操作と判断し、ステップＳ３に進んで、メニューボタンを押下位置に移動させる。例えば、図４（ｂ）に示すように、メニュー画面表示状態において指Ｆによる押下操作が規定時間以上継続すると、メニュー画面の表示を消した後に、図５（ａ）に示すように、この押下操作があった位置に各メニューボタンを束ねて再表示する。なお、図５（ａ）は、「電話帳」のメニューボタンのみが見えている例であるが、この「電話帳」のメニューボタンの裏側に他のメニューボタンが順次配置されている状態を想定した表示であり、このような状態がより分かり易い表示態様（例えば、各メニューボタンを僅かづつずらして表示する態様）でもよい。
【００３０】
次いで、ステップＳ３を経るとステップＳ４に進み、メニューボタンを順次切り替えて表示しつつ、各メニューボタンに対応した音声案内を行う動作を開始する。すなわち、ステップＳ２で判定された第１動作の押下操作が継続している間は、「電話帳」、「カメラ」、「メール」、「テレビ」、「カレンダー」、「電卓」、「メモ帳」、「設定」の順に、押下位置に表示されているメニューボタンの種類を所定間隔（例えば、予め設定された期間）で順次切り替え、選択できる処理を順次所定間隔で切り替える。そして、表示されているメニューボタンに対応する処理の種類（選択できる処理の種類）を、例えば前述したスピーカ５（或いは裏側のスピーカ）から音声で報知する。この音声による報知は、１回に限る必要はなく、メニューボタンが切り替わるまで、所定間隔で繰り返し実行してもよい。なお図５（ｂ）は、ステップＳ４の制御によって３番目の「メール」というメニューボタンに切り替えられた状態（「メール」の処理が選択できる状態）を示している。この状態では、例えば「メールです」といった音声を出力することによって前記音声案内を行う。
【００３１】
なお、以上のステップＳ１〜Ｓ４によれば、前述の第１動作があったことがタッチパネル３の検出信号に基づいて判定されたことを条件として、選択できる処理を順次切り替える機能（処理切替手段）と、選択できる処理を順次切り替えているときに、選択できる処理を順次音声で報知する機能（音声報知手段）と、が実現される。
【００３２】
次に、ステップＳ４を経るとステップＳ５に進み、前記第１動作で押下された指Ｆがタッチパネル３から離れたか否か判定し、離れたと判定されない場合は、ステップＳ４で開始した前述の動作（メニュー切替と音声案内）を継続する。そして、ステップＳ５で指Ｆがタッチパネル３から離れたと判定された場合は、ステップＳ６に進んで、ステップＳ４で開始したメニュー切替の動作を停止し、指Ｆが離れたと判定された時点の直前に表示されていたメニューボタンの音声案内を繰り返す。
【００３３】
次いで、ステップＳ６を経るとステップＳ７に進み、ステップＳ５で離れたと判定された指Ｆが再びタッチパネル３の同じ位置（メニューボタンが表示されている領域）を一時的に押下するタップ操作があったか否か判定する。このステップＳ７で、タップ操作があったと判定すると、ステップＳ８に進む。そしてステップＳ８では、タップ操作された位置にあるメニューボタンに対応する処理を実行する。
【００３４】
以上のステップＳ５〜Ｓ８によれば、前記第１動作の後に操作物体の第２動作があったことが前記検出信号に基づいて判定されると、前記メニュー切替に対するこの第２動作があったタイミングに基づいて処理を選択し、選択した処理を実行する機能（処理実行手段）が実現される。例えば、図５（ｂ）に示すように「メール」のメニューボタンが表示されている状態（「メール」の処理が選択できる状態）で、指Ｆがタッチパネル３からいったん離されて、その後再び同じ領域が押下される操作（例えば、一時的な押下であるタップ操作）がされるという第２動作が行われると、前記メニュー切替に対するこの第２動作のタイミングに基づいて特定の処理が選択され（この場合、指Ｆがタッチパネル３からいったん離された時点の直前に選択可能であった「メール」の処理が選択され）、この処理が実行される。具体的には、ステップＳ８によって、例えば「メールが選択されました」という音声案内がなされるとともに、例えば図６（ａ）に示すような受信ボックス画面が表示されメール機能に関する操作（メールに関する処理の選択と実行）が可能となる。
【００３５】
なお、以上説明したステップＳ１〜Ｓ８の制御（視覚障害がある場合にも操作を可能とする制御）は、メニュー画面が表示された状態から行われるメニュー選択の操作に本発明の思想を適用したものであるが、本発明の思想は同種の他の操作にも適用可能である。本実施形態の携帯電話機１では、表示部４に表示される複数のボタンやアイコン等のうちの何れかを、タッチパネル３に対する操作物体の動作によって選択実行する操作については、例えば全ての操作（或いは主要な操作）に対して、ステップＳ１〜Ｓ８と同様の制御が行われる構成となっている。
【００３６】
例えば、前記メニュー選択において「メール」の処理が選択実行され、図６（ａ）に示した受信ボックス画面が表示された以降の操作にも、同様の制御が行われる。このため、図６（ａ）に示した受信ボックス画面が表示された状態で、図６（ｂ）のようにタッチパネル３に対して前記第１動作（指Ｆによる長押し）が実行されると、この状態で実行可能な処理に対応するボタン（例えば、「受信メール閲覧」、「新規作成」、「メール受信」、「設定」、「初期画面」）が順次表示されて選択できる処理が順次切り替えられるとともに、その音声案内が順次行われる。そして、その後に第２動作が行われると、図７（ａ）に示すように、この第２動作のうちの指Ｆを離す動作のタイミングで決定される処理に対応したボタン（図の場合には、「受信メール閲覧」）が選択され、第２動作のうちの指Ｆで再び押下する動作が実行された時点で、この選択されたボタンに対応する音声案内（例えば「受信メール閲覧が選択されました」という音声出力）が実行されるとともに、この選択されたボタンに対応する処理（受信メール閲覧画面の表示等）が実行される。そして、この受信メール閲覧画面が表示された状態からは、また同様の操作によって、一覧表示されている受信メールのうちの目的のメールのアイコンを図７（ｂ）のように選択し、このアイコンに対応した処理（当該メール本文を読み上げるなどの音声案内）が実行される。
【００３７】
以上のとおり、本実施形態では、検出手段（タッチパネル３）の入力面（表示部４の前面であってタッチパネル３の表面）に対する操作物体の第１動作によって選択可能な処理が順次切り替る動作が実行され、前記第１動作の後の操作物体の第２動作によって処理が選択され実行される。そして前述したように、前記第１動作は、前記入力面における任意の位置での動作である。このため利用者は、操作物体（例えば、利用者の手の指）を前記入力面における任意の位置に持ってゆき、その任意の位置において前記第１動作を実行し、その後第２動作を行うことによって、所望の処理を選択し実行する操作が可能となる。したがって、ボタンやアイコン等が表示されている位置を目で見て確認しつつ操作したり、音声案内を聞きながら指先を移動させてボタン等の位置を探し当てる必要がなく、視覚障害がある場合でも、所望の処理を選択し実行する操作が容易に可能となる。
【００３８】
なお、タッチパネル式の携帯電話機などにおける表示部の面積（すなわち、タッチパネルの入力面の面積）は、近年筐体のほぼ主面全体に及ぶような広いものが主流となっており、特にタブレットＰＣなどでは非常に広い。このため、音声案内を聞きながら指先を移動させてボタン等の位置を探し当てる構成では、特にこのように画面が広い製品では、操作が非常に困難になる。しかし本実施形態のような構成であれば、タッチパネルの画面（すなわち、入力面）がどれだけ広くでも、操作は容易である。
【００３９】
また本実施形態は、前記入力面における任意の位置での前記第１動作によって、視覚障害がある場合でも操作を可能とするモード（選択可能な処理を順次切り替えて第２動作で選択・実行させる状態）に移行するため、そのようなモードへの移行のための専用のスイッチや、前記入力面における専用の領域を確保する必要がなく、装置の小型化や低コスト化の面で有利である。例えば、前述した特許文献１の装置では、障害者であっても所望のリンク先を表示できるようにする場合、通常の表示領域とは異なる所定領域に指を当てる構成であるため、その所定領域としての専用の領域を表示画面上（タッチパネル上）に通常表示画面とは別に確保する必要がある。ところが本実施形態であると、このような専用の領域を入力面上に確保する必要はないという利点がある。
【００４０】
また前記第１動作は、通常操作（視覚障害が無い場合の操作）とは異なる動作であり、この第１動作によって前記モードに切り替わるため、前記モードに切り替わるまでは視覚障害がある場合でも無い場合でも同じシステムが使用でき、しかも視覚障害がある場合には的確に前記モードに移行して容易に操作が可能となる。すなわち本実施形態では、例えば図４（ａ）に示すメニュー画面において処理を選択して実行させる場合、通常操作としては、所望の処理に対応するメニューボタンを指先等で一時的に押下するタップ操作をすれば、携帯電話機１に所望の処理を実行させることができる。また、このメニュー画面のまま、タッチパネル３上のいずれかの位置で前記第１動作（例えば、長押し）をすれば、前記モードに的確に移行して視覚障害がある場合でも前記通常操作と同等の操作が容易に可能になる。このため、視覚障害がある場合でも無い場合でも基本的に同じシステムで容易な操作が可能となり、コスト増を回避しつつ、視覚障害がある場合の利用者の操作に要する労力の軽減が実現できる。
【００４１】
また本実施形態は、選択できる処理を順次切り替えているときに、選択できる処理を順次音声で報知する。このため、利用者は所望の処理を選択・実行させるための第２動作の実行タイミングを憶えておく必要はなく、所望の処理に対応する音声が聞こえた時点に対応するタイミングで第２動作を実行すれば、視覚障害がある場合でも、容易に所望の処理を選択・実行させることができる。
【００４２】
また本実施形態では、前記第１動作が、前記入力面における同じ位置に規定時間以上接触又は接近し続けるという容易な動作（例えば、長押し）であるので、操作がより容易である。また本実施形態では、前記第２動作が、前記入力面に接触又は接近している状態から前記入力面に接触又は接近していない状態に離れ、その後再び前記入力面に接触又は接近するという容易な動作であるため、この点でも操作がより容易になる。
【００４３】
また本実施形態では、前記第２動作において前記操作物体が前記入力面に接触又は接近していない状態に離れた時点の直前において、選択可能とされていた処理を選択し、前記第２動作において前記操作物体が再び前記入力面に接触又は接近する動作が判定されると、この選択した処理を実行する。つまり、処理の選択と実行が、別個の操作によって順次別個に行われる。このため、処理の選択と実行が的確になされる。特に、前述したように、処理が選択されたときに、選択された処理を音声で報知する態様であると、利用者は選択された処理を実行前にもう一度確認し、所望の処理でなければ実行を取り止めることができ、所望の処理とは異なる処理を誤って実行してしまう可能性を低減できる。
【００４４】
（他の実施形態）
次に本発明の他の実施形態について説明する。
まず、前述の第１実施形態では、第２動作が第１動作と同じ位置で実行しなければならない態様を説明したが、この態様に限られない。第２動作を実行する検出手段の入力面上の位置は、第１動作を実行した位置によって制限されてもよいが、制限されなくてもよい。例えば、第２動作の内容を、通常操作や第１動作と明確に区別可能なユニークなものとすれば、第２動作についても、検出手段の入力面上における任意の位置で行ってもよい態様とすることができる。
【００４５】
また第１実施形態では、検出手段が表示部に重ねて設けられるタッチパネルである態様を例示したが、検出手段は、例えば表示部とは異なる位置に設けられたタッチパッドであってもよい。
【００４６】
また、第１動作は、長押しに限らず、通常操作に用いないものであれば他の動作でもよい。例えば、複数回のタップ操作（例えば、規定時間内での３回以上のタップ操作）でもよいし、操作物体（指先やスタイラスなどのペン）を入力面に当てて（又は接近させて）特定の図形や文字を描くように動かす動作、或いはこれら動作の組み合わせ等であってもよい。第２動作についても同様である。
【００４７】
また第１動作や第２動作は、タッチパネルなどの検出手段とは別個に設けられたキーの操作との組み合わせで有効になるようにしてもよい。例えば、タッチパネルなどの検出手段とは別個に設けられたキーを押しながら、タッチパネルなどの検出手段に対してタップ又は長押し等の操作をすると、第１動作があったと判定される態様などがあり得る。
【００４８】
また、以上説明した実施形態では携帯電話機を例に挙げて説明したが、本発明は携帯電話機以外の装置、例えば、ＰＤＡ（携帯情報端末）、パーソナルコンピュータ（例えば、ノートＰＣ、タブレットＰＣ）、音楽プレイヤ、ゲーム機、デジタルカメラなど、タッチパネルやタッチパッドなどの操作入力のための検出手段を搭載した各種の電子機器等に適用可能である。
【００４９】
以下、本発明の特徴を付記する。
前記の各実施形態の一部又は全部は、以下の付記のようにも記載され得るが、以下には限られない。
（付記１）
図８は、付記１の構成図に相当する。
この図に示すように付記１に記載の発明は、
入力面を有し、この入力面に対する人体などの操作物体の動作を判定可能な検出信号を出力する検出手段１０１と、
前記入力面における任意の位置での前記操作物体の第１動作があったことが前記検出信号に基づいて判定されると、選択できる処理を順次切り替える処理切替手段１０２と、
前記第１動作の後に前記操作物体の第２動作があったことが前記検出信号に基づいて判定されると、前記処理切替手段の切り替えに対する前記第２動作があったタイミングに基づいて処理を選択し、選択した処理を実行する処理実行手段１０３と、
を備えることを特徴とする処理装置。
【００５０】
（付記２）
前記処理切替手段が選択できる処理を順次切り替えているときに、選択できる処理を順次音声で報知する音声報知手段を、さらに備えることを特徴とする付記１に記載の処理装置。
【００５１】
（付記３）
前記第１動作は、前記操作物体が前記入力面における同じ位置に、規定時間以上接触又は接近し続ける動作であることを特徴とする付記１または付記２に記載の処理装置。
【００５２】
（付記４）
前記第２動作は、前記操作物体が前記入力面に接触又は接近している状態から前記入力面に接触又は接近していない状態に離れ、その後再び前記入力面に接触又は接近する動作であることを特徴とする付記１ないし付記３のいずれかに記載の処理装置。
【００５３】
（付記５）
前記処理実行手段は、前記第２動作において前記操作物体が前記入力面に接触又は接近していない状態に離れた時点の直前において、前記処理切替手段によって選択可能とされていた処理を選択し、前記第２動作において前記操作物体が再び前記入力面に接触又は接近する動作が判定されると、この選択した処理を実行することを特徴とする付記４に記載の処理装置。
【００５４】
（付記６）
入力面を有し、この入力面に対する人体などの操作物体の動作を判定可能な検出信号を出力する検出手段を使用して、前記操作物体の動作に応じた処理を実行する処理方法であって、
前記入力面における任意の位置での前記操作物体の第１動作があったことが前記検出信号に基づいて判定されると、選択できる処理を順次切り替え、
前記第１動作の後に前記操作物体の第２動作があったことが前記検出信号に基づいて判定されると、前記切り替えに対する前記第２動作があったタイミングに基づいて処理を選択し、選択した処理を実行することを特徴とする処理方法。
【００５５】
（付記７）
入力面を有し、この入力面に対する人体などの操作物体の動作を判定可能な検出信号を出力する検出手段を備え、前記操作物体の動作に応じた処理を実行する処理装置のコンピュータを、
前記入力面における任意の位置での前記操作物体の第１動作があったことが前記検出信号に基づいて判定されると、選択できる処理を順次切り替える処理切替手段、及び、
前記第１動作の後に前記操作物体の第２動作があったことが前記検出信号に基づいて判定されると、前記処理切替手段の切り替えに対する前記第２動作があったタイミングに基づいて処理を選択し、選択した処理を実行する処理実行手段、
として機能させるためのプログラム。
【符号の説明】
【００５６】
１  携帯電話機（処理装置）
３  タッチパネル（検出手段）
４  表示部
５  スピーカ（音声報知手段）
１０  中央制御部（処理切替手段、処理実行手段、音声報知手段、コンピュータ）
【図１】
2012238267.tif 000003
【図２】
2012238267.tif 000004
【図３】
2012238267.tif 000005
【図４】
2012238267.tif 000006
【図５】
2012238267.tif 000007
【図６】
2012238267.tif 000008
【図７】
2012238267.tif 000009
【図８】
2012238267.tif 000010